(57)【要約】本発明は通信システムにおける無線リソースを効率よく利用するための方法、ユーザ機器、及び通信ネットワークノードに関するものであり、その通信システムは、複数のセル（１９）にサービスを行い、そのセル間で１つ以上のユーザ機器（１８）が移動している通信ネットワークノード（１５）を備えている。ユーザ機器（１８）は、電力不足状況を検出する場合、電力不足状況によりトリガされる報告、例えば、スケジューリング情報シグナリングを送信するように構成され、それにより、通信ネットワークノードは、利用可能な無線リソースに関して所定の動作を行うことが可能である。
2010532626.tif 000002
【特許請求の範囲】
【請求項１】
少なくとも１つの通信ネットワークノード（１５）がサービスを行っている複数のセルの間を１つ以上のユーザ機器が移動している通信ネットワークにおいて、無線リソースを効率よく利用するユーザ機器における方法であって、前記方法は、
前記ユーザ機器における電力不足状況を検出する工程と、
利用可能な無線リソースに関して前記通信ネットワークノードが所定の動作を行うことができるように、前記電力不足状況によりトリガされる報告を前記通信ネットワークノードに送信する工程とを有することを特徴とする方法。
【請求項２】
前記電力不足状況が解消されたとき、前記通信ネットワークノードに対して別の報告を送信する工程をさらに有することを特徴とする請求項１に記載の方法。
【請求項３】
前記報告はスケジューリング情報シグナリングであることを特徴とする請求項１又は２に記載の方法。
【請求項４】
少なくとも１つの通信ネットワークノード（１５）がサービスを行っている複数のセルの間を１つ以上のユーザ機器が移動している通信ネットワークにおいて、無線リソースを効率よく利用する通信ネットワークノードにおける方法であって、前記方法は、
ユーザ機器における電力不足状況によりトリガされる報告を受信する工程と、
利用可能な無線リソースに関して所定の動作を行う工程とを有することを特徴とする方法。
【請求項５】
電力不足状況の間に前記報告を受信したとき、信号対干渉比（ＳＩＲ）の目標値をフリーズする工程をさらに有することを特徴とする請求項４に記載の方法。
【請求項６】
電力不足状況の間に前記報告を受信したとき、調整を行う（１８）工程をさらに有することを特徴とする請求項４に記載の方法。
【請求項７】
前記調整されたグラントを用いて前記セルにおける他のユーザ機器に対するビット速度を増加させる工程をさらに有することを特徴とする請求項６に記載の方法。
【請求項８】
２つ以上のユーザ機器から前記報告を受信したとき、前記セル（１９）における最大許容負荷を低減する工程をさらに有することを特徴とする請求項４に記載の方法。
【請求項９】
前記報告を第２の通信ネットワークノードに転送する工程をさらに有し、
前記第２の通信ネットワークノードは、前記利用可能な無線リソースに関して、
電力不足状況の間に前記報告を受信したとき、信号対干渉比（ＳＩＲ）の目標値をフリーズすることと、
もし電力不足状況が頻繁に報告されるなら、セル間干渉を制御すること
との内、少なくとも１つの動作を行うよう構成されていることを特徴とする請求項４に記載の方法。
【請求項１０】
前記報告はスケジューリング情報シグナリングであることを特徴とする請求項４乃至９のいずれか１項に記載の方法。
【請求項１１】
少なくとも１つの通信ネットワークノード（１５）がサービスを行っている複数のセルの間を１つ以上のユーザ機器が移動している通信ネットワークにおいて、無線リソースを効率よく利用するユーザ機器（１８）であって、前記ユーザ機器は、
電力不足状況を検出する手段と、
利用可能な無線リソースに関して前記通信ネットワークノードが所定の動作を行うことができるように、前記電力不足状況によりトリガされた報告を前記通信ネットワークノードに送信する手段とを有することを特徴とするユーザ機器（１８）。
【請求項１２】
前記電力不足状況が解消されたとき、前記通信ネットワークノードに対して別の報告を送信する手段をさらに有することを特徴とする請求項１１に記載のユーザ機器（１８）。
【請求項１３】
前記報告はスケジューリング情報シグナリングであることを特徴とする請求項１１又は１２に記載のユーザ機器。
【請求項１４】
１つ以上のユーザ機器（１８）が移動している複数のセル（１９）にサービスを行っている通信ネットワークノード（１５）を有する通信ネットワークにおいて、無線リソースを効率よく利用する通信ネットワークノードであって、前記通信ネットワークノードは、
ユーザ機器（１８）の電力不足状況によりトリガされる報告を受信する手段と、
利用可能な無線リソースに関して所定の動作を行う手段とを有することを特徴とする通信ネットワークノード（１５）。
【請求項１５】
前記通信ネットワークノードは、電力不足状況の間に前記報告を受信したとき、信号対干渉比（ＳＩＲ）の目標値をフリーズするよう構成されていることを特徴とする請求項１４に記載の通信ネットワークノード（１５）。
【請求項１６】
前記通信ネットワークノードは、電力不足状況の間に前記報告を受信したとき、前記ユーザ機器（１８）に割当てられたグラントを調整するよう構成されていることを特徴とする請求項１４に記載の通信ネットワークノード（１５）。
【請求項１７】
前記通信ネットワークノードは、前記調整されたグラントを用いて前記セルにおける他のユーザ機器に対するビット速度を増加させるよう構成されていることを特徴とする請求項１６に記載の通信ネットワークノード（１５）。
【請求項１８】
前記通信ネットワークノードは、２つ以上のユーザ機器から前記報告を受信したとき、前記セル（１９）における最大許容負荷を低減するよう構成されていることを特徴とする請求項１４に記載の通信ネットワークノード（１５）。
【請求項１９】
前記通信ネットワークノードは、前記報告を第２の通信ネットワークノードに転送するよう構成されており、
前記第２の通信ネットワークノードは、前記利用可能な無線リソースに関して、
電力不足状況の間に前記報告を受信したとき、信号対干渉比（ＳＩＲ）の目標値をフリーズすることと、
もし電力不足状況が頻繁に報告されるなら、セル間干渉を制御すること
との内、少なくとも１つの動作を行うよう構成されていることを特徴とする請求項１４に記載の通信ネットワークノード（１５）。
【請求項２０】
前記報告はスケジューリング情報シグナリングであることを特徴とする請求項１４乃至１９のいずれか１項に記載の通信ネットワークノード（１５）。
【発明の詳細な説明】
【技術分野】
【０００１】
本発明は、通信システムにおける方法、ユーザ機器、及び通信ネットワークノードに関し、特に、無線リソースの効率的な利用を可能にするユーザ機器と通信ネットワークノード、及び、そのような利用のための方法に関する。
【背景技術】
【０００２】
３ＧＰＰ  ＷＣＤＭＡ仕様のリリース６では、アップリンクにおける高速パケットデータに対するサポートが、新しいアップリンクのトランスポートチャネル、拡張個別トランスポートチャネル（Ｅ−ＤＣＨ）を用いて改良されている。Ｅ−ＤＣＨは、より高速なデータ速度、ソフト合成を用いたノードＢ  ＨＡＲＱ、および高速なノードＢスケジューリングをサポートする。
【０００３】
新しいスケジューリング機能を用いて、ノードＢは、ＵＥが使用しうる最大速度を、ＵＥに対して“許可（grants）”を発行することにより制限できる。しかしながら、ノードＢは、ＵＥ内の詳細なバッファ状態または利用可能な電力を認知していないので、最終的な速度選択はＵＥにある。拡張アップリンクに対するシステムおよび機能の技術仕様は、ＵＥにおける速度選択のためのメカニズムを記述している。基本的にＵＥは、発行された許可（グラント）、“システム許可速度”または“電力消費量に基づくＵＥ評価最大速度”のうちから選択した最小速度を用いるべきである。
【０００４】
ＵＥが自身の最大電力Ｔｘにより制限される場合、ＵＥは、電力不足状況に陥らないようにするためにいずれの速度をサポートできるかを評価しなければならない（ＵＥはこの評価を、それが電力かまたは制限されたグラントかどうかを見出すために絶えず行う）。電力不足状況が生じると、それはＵＥが選択されたトランスポートフォーマット、Ｅ−ＴＦＣを意図した電力で送信するに十分な電力を有していないということを意味している。このことは、ＵＥがサポートできる速度を過大に見積もっていて、そしてトランスポートブロックが構成設定されているものよりも低い電力で送信されるということを意味している。結果として、送信が正しく検出できない確率が増大し、追加的な送信が必要になる可能性がある。
【０００５】
ＵＥが電力不足になり始める場合、長い目で見た（そして好適な）解決策は、利用できる電力が適切な送信に十分であるように使用するＥ−ＴＦＣを変更することである。この動作は、完遂するのに多少のＴＴＩがかかる。この実行時間中に、ＵＥは、拡張データチャネル（Ｅ−ＤＰＤＣＨ）への電力配分を一時的に減らし始める。
【０００６】
ＵＥ速度選択（Ｅ−ＴＦＣ選択）は、既存の各トランスポートフォーマット（Ｅ−ＴＦＣ）に対する電力オフセット値、すなわちβedとともに、制御チャネル（ＤＰＣＣＨ）に用いられる電力に基づいている。ＤＰＣＣＨ電力およびβed電力に基づいて、ＵＥはいずれのＥ−ＴＦＣをサポートできるかを評価する。中程度の一時的な電力削減は、βedファクタをスロットベースで減らすことにより実行される。
【０００７】
ＵＥが（複数の）ノードＢからのリソースを要求するために、スケジューリング要求がアップリンクで、スケジューリング情報（ＳＩ）およびハッピー・ビットの形で送信される。ＳＩは、報告がなされねばならないように構成された論理チャネルに対して送信される一方、ハッピー・ビットは常に、Ｅ−ＤＰＣＣＨが送信されるときはいつでも、Ｅ−ＤＰＣＣＨに含められるべきである。
【０００８】
ＳＩは、ＭＡＣ−ｅ  ＰＤＵの最後部に位置しており、ＵＥにより必要となるシステムリソース量と、ＵＥが実際に利用可できるリソース量に関するより良い見通しを、サービングノードＢに提供するのに用いられる。
【０００９】
ＵＥは、スケジューリング情報に次のものを含める。即ち、“バッファ内にデータを有する最優先順位のチャネルの論理チャネルＩＤ（ＨＬＩＤ、４ビット）”と、“全体のＥ−ＤＣＨバッファ状態（ＴＥＢＳ、５ビット）”と、“最優先順位の論理チャネルバッファ状態（ＨＬＢＳ、４ビット）”と、“ＵＥ電力余裕（ＵＰＨ、５ビット）”であり、ＵＰＨのフィールドは、最大ＵＥ送信電力と対応するＤＰＣＣＨコード電力との比を示す。
【００１０】
報告されるＵＥ送信電力余裕の測定結果は、ＵＥ送信電力余裕の１００ミリ秒にわたる平均値の推定値とする。
【００１１】
現行の手順に従えば、ＳＩは、ある基準に準拠してノードＢに報告される。ＵＥが（利用可能な在圏グラントを有しない、または任意のプロセスにおいて送信を妨げる絶対グラントを受信しているために）スケジュールされたデータを送信することが許されず、そしてＳＩが報告されなければならない論理チャネルで、ＭＡＣ−ｅ  ＰＤＵにおける在圏Ｅ−ＤＣＨ  ＲＬＳに送信するためにスケジュールされたデータを有している場合、
・ＮＡＣＫとＡＣＫの誤解釈を防ぐために周期的に報告する、
・スケジューリング情報が単独で送信されるか、または、スケジュールされていないデータがあるとそのようなデータとともに送信される、そして、
・より高い優先順位のデータがバッファに到来すると、スケジューリング情報も、トリガされる。
【先行技術文献】
【非特許文献】
【００１２】
【非特許文献１】３ＧＰＰ  ＴＳ２５．３０９
【非特許文献２】３ＧＰＰ  ＴＳ２５．３２１
【発明の概要】
【発明が解決しようとする課題】
【００１３】
“システムリソースを浪費しない”という観点から、ＵＥがスケジュールされたデータを送信することが許されており、そして、ＳＩが報告されなければならない論理チャネルで送信するためにスケジュールされたデータを有しているが、十分な電力が残されていないというシナリオを扱うことは重要である。
【００１４】
いつＳＩ（ＵＰＨ情報）がトリガされるべきなのかを選択する今日の解決策を用いると、ＵＥの電力状況を考慮に入れるメカニズムがなく、ＵＥがシステム（ノードＢ）にいつ現状について知らせるのかを決めることもできない。
【００１５】
この情報を有しないと、ノードＢは局所的な電力需要に関する情報（干渉状況）を更新できなく、システム容量を浪費する危険がある。例えば、Ｅ−ＤＰＤＣＨの一時的な電力削減中に、（複数回の）再送が、アウタループ電力制御（ＯＬＰＣ）を通じてＳＩＲ目標値の増加に繰り返しトリガをかけ、このようにして容量およびエンドユーザのスループットを浪費するであろう。加えて、ノードＢは、そのノードＢを利用できないＵＥに対してグラントを与える可能性がある。
【課題を解決するための手段】
【００１６】
従って、複数のセルにサービスを行い、そのセル間で１つ以上のユーザ機器が移動している少なくとも１つの通信ネットワークノードを有した通信ネットワークにおいて、無線リソースを効率よく利用するユーザ機器における改良された方法を提供することが、本発明の目的である。
【００１７】
本発明を第１の側面から見れば、この目的は請求項１の特徴部で定義された方法を通じて達成され、その特徴部は、通信ネットワークにおける無線リソースが、前記ユーザ機器の電力不足状況を検出し、利用可能な無線リソースに関して前記通信ネットワークノードが所定の動作を行うことができるように、前記電力不足状況によりトリガされる報告を前記通信ネットワークノードに送信することにより、効率よく利用されることを規定する。
【００１８】
本発明の別の目的は、複数のセルにサービスを行い、そのセル間で１つ以上のユーザ機器が移動している少なくとも１つの通信ネットワークノードを有した通信ネットワークにおいて、無線リソースを効率よく利用する通信ネットワークノードにおける改良された方法を提供することにある。
【００１９】
本発明を第２の側面から見れば、この別の目的は請求項４の特徴部で定義された方法を通じて達成され、その特徴部は、通信ネットワークにおける無線リソースが、ユーザ機器の電力不足状況によりトリガされる報告を受信し、利用可能な無線リソースに関して所定の動作を行うことにより、効率よく利用されることを規定する。
【００２０】
本発明の更なる目的は、複数のセルにサービスを行い、そのセル間でユーザ機器が移動している少なくとも１つの通信ネットワークノードを有した通信ネットワークにおいて、無線リソースを効率よく利用する改良されたユーザ機器を提供することにある。
【００２１】
本発明を第３の側面から見れば、この更なる目的は請求項１０で定義されたユーザ機器を通じて達成され、その請求項は、通信ネットワークの無線リソースが、電力不足状況を検出するための手段と、利用可能な無線リソースに関して前記通信ネットワークノードが所定の動作を行うことができるように、前記電力不足状況によりトリガされる報告を前記通信ネットワークノードに送信する手段を有したユーザ機器により、効率よく利用されることを規定する。
【００２２】
本発明のまた更なる目的は、複数のセルにサービスを行い、そのセル間で１つ以上のユーザ機器が移動している通信ネットワークノードを有した通信ネットワークにおいて、無線リソースを効率よく利用する改善された通信ネットワークノードを提供することにある。
【００２３】
本発明を第４の側面から見れば、また更なる目的は請求項１４で定義された通信ネットワークノードを通じて達成され、その請求項は、前記通信ネットワークノードが、ユーザ機器の電力不足状況によりトリガされる報告を受信する手段と、利用可能な無線リソースに関して所定の動作を行う手段とを有することを規定する。
【００２４】
更なる実施例は、従属請求項にリストされている。
本発明の方法の備えにより、ユーザ機器および通信ネットワークノードは、電力不足でトリガされる信号を用いており、その通信ネットワークノードは、ユーザ機器の電力状況に関する情報を有し、そしてそれ故に、その状況を解釈して、そして正しい動作をし、そしてより効率よく少ない干渉リソースを利用するので、システム容量を向上させることができる。さらに、電力不足の情報を有するアウタループ電力制御アルゴリズムはまた、ＵＥが高まる要求を満足できない状況において、ＳＩＲ目標値を増加させないという利点をもつであろう。
【００２５】
本発明の更なる他の目的および特徴が、添付図面と併せて考慮される以下の詳細な説明から明らかになるであろう。しかしながら、その図面は例示目的のためだけに描かれており、本発明の範囲を定義するものではないということが理解されるべきであり、本発明の範囲については添付の請求の範囲が参照されるべきである。さらに当然のことながら、図面は必ずしも正しい縮尺で描かれておらず、特に明記しない限り、図面は本明細書で記述している構造や手順を概念的に例示することを意図しているに過ぎない。
【図面の簡単な説明】
【００２６】
【図１】本発明に従った通信ネットワークのアーキテクチュアを示す図である。
【図２】ユーザ機器における本発明の手順のステップを示すフローチャートである。
【図３】通信ネットワークノードにおける本発明の手順のステップを示すフローチャートである。
【図４】本発明に従う構成を有したユーザ機器と通信ネットワークノードを例示するブロック図である。
【発明を実施するための形態】
【００２７】
図１は、広帯域符号分割多元接続（ＷＣＤＭＡ）システムのような通信システムを描いており、このシステムは、無線アクセスネットワーク（ＲＡＮ）、例えば、ＵＭＴＳ地上無線アクセスネットワーク（ＵＴＲＡＮ）のアーキテクチャを有し、無線ネットワーク制御装置（ＲＮＣ）１０に接続された少なくとも１つの無線基地局（ＲＢＳ）（またはノードＢまたはｅＮｏｄｅ  Ｂ）１５ａ〜１５ｃを備えている。ＲＡＮは、Ｉｕインタフェースのようなインタフェース１３によりコアネットワーク（ＣＮ）１２に接続されており、ＣＮは、公衆交換電話網（ＰＳＴＮ）またはサービス総合デジタル網（ＩＳＤＮ）のようなコネクション型外部ＣＮとインターネットのようなコネクションレス型外部ＣＮとの内の少なくともいずれかであるかもしれない。
【００２８】
ＲＡＮおよびＣＮ１２は、複数のユーザ機器（ＵＥ）１８（図１では１つのみが示されている）に対して通信および制御を提供する。ＵＥ１８の各々は、ダウンリンク（ＤＬ）チャネル１６（即ち、基地局からユーザへまたは順方向）とアップリンク（ＵＬ）チャネル１７（即ち、ユーザから基地局へまたは逆方向）とを用いて、無線インタフェースまたはエアインタフェースによって少なくとも１つのＲＢＳ１５と通信する。各ＲＢＳ１５ａ〜１５ｃは少なくとも１つのセル１９にサービスを行い、そのセルにＵＥ１８が位置しているか、またはＵＥがそのセルを通って移動している。
【００２９】
本発明の好適な実施例に従えば、通信システムは、ここではＷＣＤＭＡシステムとして記述されている。しかしながら、当業者であれば、本発明の方法および装置は、すべての通信システム、例えば、全地球移動通信システム（ＧＳＭ）、または３Ｇ長期進化版（ＬＴＥ）システムで非常にうまく動作するということを理解するであろう。ユーザ機器１８は、移動体電話（“セルラ”電話）および移動終端を有するラップトップのような移動局であるかもしれず、従って、音声とデータとの内少なくともいずれかをＲＡＮと通信する、例えば、携帯型、ポケット型、ハンドヘルド型、コンピュータ内蔵型、または車載型の移動機器であるかもしれない。
【００３０】
本発明の基本的な着想は、スケジューリング情報（ＳＩ）シグナリングが、ＵＥの電力不足によりトリガされるようにすることであり、ＲＢＳは、このことにより、ＵＥの電力状況に関する情報を有するであろうし、従って、その状況を解釈して、正しい動作をし、そして少ない干渉リソースをより効率よく利用することができる。
【００３１】
ＵＥの電力余裕（ＵＰＨ）は、サービングＲＢＳに、ＵＥが必要とするシステムリソース量とＵＥが実際に使用できるリソース量とのより良い見通しを提供するように使用されるべきであるので、ＵＰＨは、ＵＥの電力不足のためにＵＥからＲＢＳに対してＳＩ送信のトリガをかけるのに有益であるべきである。
【００３２】
ＵＥは、Ｅ−ＴＦＣ選択手順を通じて電力不足を検出する場合、スケジューリング情報をＲＢＳに送信しなければならない。同様に、ＵＥは電力不足状況が解消された場合、別のＳＩを送信するかもしれない。このことは、ＳＩに対するトリガ基準が、電力不足状況をも含むように拡張されるということを意味する。
【００３３】
電力不足状況はさらに、ＲＢＳから無線ネットワーク制御装置（ＲＮＣ）に対してシグナリングされる場合がある。このことは、ＵＥがソフトハンドオーバされる場合、即ち、アップリンク送信がいくつかの基地局により受信される場合に有用である。現行の技術仕様によれば、アウタループ電力制御（ＯＬＰＣ）はＲＮＣにあり、そして、ＯＬＰＣからのＳＩＲ目標値は、受信に関与するすべてのリンクに適用される。種々のセルにおいて異なるＳＩＲ目標値を回避するために、電力不足状況をＲＮＣとＲＮＣ内のＯＬＰＣ機能に転送することは望ましい。ＲＮＣは、それから受信に関与するすべてのリンクにＳＩＲ目標値のフリーズを適用できる。ＲＮＣはまた、電力不足状況が頻繁に報告されると、セル間干渉を制御するために更なる動作を行うことができる。
【００３４】
従って、本発明の好適な実施例によれば、通信ネットワークの無線リソースを効率よく利用するユーザ機器における手順は、図２に示され、以下のとおりである。即ち、
１）ユーザ機器において電力不足状況を検出すること（ステップ２１）と、
２）電力不足状況によりトリガされるスケジューリング情報の信号を通信ネットワークノード（例えば、ＲＢＳ）に送信し、利用可能な無線リソースに関して通信ネットワークノードが所定の動作を行うことができるようにすること（ステップ２２）と、
３）前記電力不足状況が解消された場合には、スケジューリング情報シグナリングを通信ネットワークノードに送信すること（ステップ２３）と
である。
【００３５】
電力不足期間中にＳＩのトリガがあると、ＲＢＳは電力不足の望ましくない影響を回避するための動作をとる。
【００３６】
従って、本発明の好適な実施例によれば、通信ネットワークの無線リソースを効率よく利用するＲＢＳにおける手順は、図３に示され、以下のとおりである。即ち、
１）ユーザ機器における電力不足状況によりトリガされるスケジューリング情報シグナリングを受信すること（ステップ３１）と、
２）電力不足状況の好ましくない影響を回避するために、利用可能な無線リソースに関して所定の動作を行うこと（ステップ３２）と、
３）実行可能な動作の第１の実施例に従えば、ＲＢＳは、ＳＩＲ目標値の不必要な増加を回避するために電力不足期間中ＳＩＲ目標値を据え置く（フリーズする）（ステップ３３）ことと、電力不足期間が終了した場合、ＲＢＳはＳＩＲ目標値のフリーズを停止し、ＯＬＰＣに再度ＳＩＲ目標値を制御させること（ステップ３４）と、
４）実行可能な動作の第２の実施例に従えば、ＲＢＳのスケジューラ（図４に示されている）は、電力不足期間中に前記スケジューリング情報シグナリングを受信すると、ユーザ機器に割り当てられたグラントを調整し（ステップ３５）、即ち、ＲＢＳスケジューラは、現在のグラントが、ユーザが電力状況のために用いることができるものに比べて高すぎる場合、ユーザはとにかく送信電力により制限されていて、より高いグラントを用いることができないので、より高いグラントの割り当てを回避するか、またはグラントを低下させる。低くされたグラントは、例えば、スケジューリングの余裕を増し、他のユーザに対するビット速度の増加をもたらす可能性がある（ステップ３６）。電力不足期間が終了した場合、スケジューラはグラントを再調整する（ステップ３７）。そして、
５）実行可能な動作の第３の実施例に従えば、ＲＢＳのスケジューラは、２つ以上のユーザ機器から前記スケジューリング情報シグナリングを受信すると、セルでの最大許容負荷を低下させる（ステップ３８）。セル内の多くのユーザが電力限界になると、このことはさらに、セル内の干渉が低減される必要があるということの示唆である。そのとき、スケジューラは、セルでの最大許容負荷を低下させることにより動作する可能性がある。加えて、この情報は、ＵＥが同様に接続されているセルのいずれかによる負荷バランスをとる目的で考慮される。
【００３７】
図４は、本発明の構成に備えられたユーザ機器１８と無線基地局１５を示すブロック図である。ユーザ機器１８は、アップリンクチャネル１７で無線インタフェースによってデータをＲＢＳ１５の受信機４１に送信するように構成された無線送信機４６と、ダウンリンクチャネル１６でＲＢＳ１５の送信機４２から送信されるデータを受信するように構成された受信機４７とを有する。ユーザ機器１８はさらに、４８として図示されている電力不足状況を検出する手段を有し、それにより、無線送信機４６は、利用可能な無線リソースに関してＲＢＳ１５が所定の動作を行うことができるように、電力不足状況によりトリガされるスケジューリング情報シグナリングをＲＢＳ１５に送信するように構成される。
【００３８】
ＲＢＳ１５は、無線送信機４２と無線受信機４１とを有する。送信機４２は、ダウンリンクチャネル１６で無線インタフェースによってユーザ機器１８の受信機４７にデータを送信している。受信機４１は、アップリンクチャネル１７でユーザ機器１８からデータを受信しており、従って、ユーザ機器１８により送信される、ユーザ機器１８における電力不足状況によりトリガされるスケジューリング情報シグナリングを受信するように構成される。ＲＢＳ１５はさらに、利用可能な無線リソースに関して所定の動作を行う手段４３を有している。ＲＢＳ１５はまた、アップリンクスケジューラ４５を有し、スケジューラ４５はユーザ機器１８に対する送信権（グラント）を決定する。スケジューラ４５はまた、上述のように電力不足状況が、ユーザ機器１８で発生する場合に行われる動作のうちのいくつかを担当する。図４は、それぞれユーザ機器およびＲＢＳの異なる機能のみを例により示している説明のためだけのブロック図である。
【００３９】
ＵＥの電力状況を検出し、システムにシグナリングする方法があることを考えると、そのような情報はＳＩシグナリングに対するトリガ基準として追加することができよう。
【００４０】
以下に述べる３ＧＰＰの技術仕様（非特許文献１）には、別の場合（下線部分）が追加されるべきである。
【００４１】
9.3.1.1.2  トリガ
ＵＥが（利用可能な在圏グラントを有しないか、何かのプロセスにおいて送信を妨げる絶対グラントを受信しているために）スケジュールされたデータを送信することが許されないで、スケジューリング情報が報告されねばならない論理チャネルで送信するためにスケジュールされたデータがある場合、
−スケジューリング情報が、ＭＡＣ−ｅ  ＰＤＵで在圏Ｅ−ＤＣＨ  ＲＬＳに送信されるものとする；
−ＮＡＣＫとＡＣＫの誤解釈を防ぐために周期的に報告する；
−スケジューリング情報が単独で送信されるか、或いは、スケジューリングされていないデータがあると、そのようなものデータとともに送信される；
−より高い優先順位のデータがバッファ内に到来すると、スケジューリング情報もトリガされるであろう。また、
ＵＥがスケジュールされたデータを送信することが許されていて、スケジューリング情報が報告されねればならない論理チャネルで送信するためにスケジュールされたデータがある場合、
−ＵＥは、スケジューリング情報をＭＡＣ−ｅ  ＰＤＵで在圏Ｅ−ＤＣＨ  ＲＬＳに送信するものとする；
−スケジューリング情報は周期的に送信される（周期はＲＲＣにより定義される）；
−ＵＥがある所定の期間中に電力不足を被ると、スケジューリング情報もトリガされるであろう。
【００４２】
上の説明で、“電力不足”は、例えば、ＵＥのＥ−ＤＰＤＣＨ電力（βed）が非常に長期間にわたって過剰に低下しているということを意味している。
【００４３】
３ＧＰＰの媒体アクセス制御（ＭＡＣ）プロトコル技術仕様（非特許文献２）を詳しく調べると、基本的に２つの異なる場合がある。即ち、“在圏グラントを有しない場合の対処法”と、“在圏グラントがゼログラントに等しくない場合の対処法”である。これらはそれぞれ、セクション11.8.1.6.1とセクション11.8.1.6.2に見出される。
【００４４】
セクション11.8.1.6.2の説明には、次のトリガ基準（下線部分）が追加されるべきである。
【００４５】
11.8.1.6.2  ＳＧが“ゼロ＿グラント”に等しくなく、
少なくとも１つのプロセスが起動される場合の報告トリガ
Ｅ−ＤＣＨサービングセルに変化が生じると、そして新しいＥ−ＤＣＨサービングセルが前のサービングＥ−ＤＣＨ  ＲＬＳの一部でなかったなら、スケジューリング情報の送信がトリガされるものとする
ＲＲＣは、変数である在圏グラントが“ゼロ＿グラント”に等しくなく、少なくとも１つのプロセスが起動される場合に対しても、周期的なトリガを用いてＭＡＣを構成設定できる。周期トリガタイマＴ＿ＳＩＧ（“ゼロ＿グラント”と異なる−タイマスケジューリング情報）は、Ｔ＿ＳＩＮＧとは異なる値に構成設定される
Ｔ＿ＳＩＧは、変数である在圏＿グラントが“ゼロ＿グラント”に等しくなくなり、少なくとも１つのプロセスが起動されると直ちに、開始されるものとする
Ｔ＿ＳＩＧタイマが切れる場合、新しいスケジューリング情報の送信がトリガされるものとする
在圏グラント更新機能の変数である在圏＿グラントが“ゼロ＿グラント”に等しくなるか、すべてのプロセスが停止されると直ちに、Ｔ＿ＳＩＧは停止され、リセットされるものとする
スケジューリング情報の送信がトリガされる場合、Ｔ＿ＳＩＧは再起動されるものとする
在圏グラント更新機能の変数である在圏＿グラントが“ゼロ＿グラント”に等しくなるか、すべてのプロセスが停止され、そしてＴＥＢＳがゼロより大きいと直ちに、スケジューリング情報の送信がトリガされるものとする
在圏グラント更新機能の変数である在圏＿グラントが“ゼロ＿グラント”より大きく、すべてのプロセスが起動され、ＴＥＢＳがゼロよりも大きい場合、そして、ＵＥが、ある所定の期間中、電力不足を被るなら、スケジューリング情報の送信がトリガされるものとする。
【００４６】
そしてこれまでの説明にあるように、“電力不足”は、ＵＥのＥ−ＤＰＤＣＨ電力（βed）が非常に長い期間にわたって過剰に低下しているということを意味する。
【００４７】
上述した手順のうちの少なくともいくつかは、送信機と受信機との間のチャネルの時間的に変化する特性に対応するため、必要に応じて繰り返し実行されることが認識されるであろう。理解を容易にするため、本発明の多くの側面が、例えば、プログラマブルなコンピュータシステムの要素により実行されるように動作シーケンスにより記述されている。様々な動作が、専用回路（例えば、特別な機能を実行するように相互接続された離散的論理回路や特定用途向け集積回路）により、１つ以上のプロセッサ、或いはこれらプロセッサの組合わせにより実行されるプログラム命令により、実行されることが認識されよう。
【００４８】
さらにその上、本発明は、媒体から命令をフェッチし、その命令を実行できるコンピュータをベースとしたシステム、プロセッサ内蔵システム、或いは、他のシステムのような命令実行システム、装置、または機器により、或いは、これらのシステム、装置、または機器に関連して用いられる適切な一連の命令をその中に記憶している任意の形式のコンピュータ可読記憶媒体の中に完全に内蔵されるものと考えられる。ここで使用しているように、“コンピュータ可読記憶媒体”は、命令実行システム、装置、または機器により、またはこれらに関連して用いられるプログラムを含み、記憶し、通信し、伝播し、または運ぶことができる何らかの手段でも良い。コンピュータ可読記憶媒体は、これに限定されるものではないが、例えば、電子、磁気、光学、電磁気、赤外線、または半導体のシステム、装置、機器、または伝搬媒体で良い。コンピュータ可読記憶媒体のより具体的な例（限定的なリスト）には、１つ以上の配線を有する電気接続、携帯可能なコンピュータディスケット、ランダムアクセスメモリ（ＲＡＭ）、リードオンリメモリ（ＲＯＭ）、消去可能プログラマブル読み出し専用メモリ（ＥＰＲＯＭまたはフラッシュメモリ）、光ファイバ、携帯可能なコンパクトディスク−リードオンリメモリ（ＣＤ−ＲＯＭ）、およびユニバーサルシリアルバス（ＵＳＢ）メモリを含む。
【００４９】
前述した本発明の実施例に対する修正は、添付の請求の範囲で定義される本発明の範囲を逸脱することなく可能である。本発明を説明し、そして特許請求の範囲を記載するのに使用している“含んでいる（including）”、“有している（comprising）”、“組み込んでいる（incorporating）”、“で構成されている（consisting of）”、“有する（have）”、“である（is）”のような表現は、排他的ではない方法で解釈されることを意図しており、即ち、明確に記述されていない項目、構成要素または要素がまた存在することを許容する。単数に対する言及はまた、複数に関すると解釈されるべきであり、逆の場合も同じである。
【００５０】
添付の請求の範囲でカッコ内に含まれる数字は、請求項の理解に役立たせることを意図しており、そして決してこれらの請求項により請求する主題を限定するように解釈されるべきではない。
【図１】
2010532626.tif 000003
【図２】
2010532626.tif 000004
【図３】
2010532626.tif 000005
【図４】
2010532626.tif 000006
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
少なくとも１つの通信ネットワークノード（１５）がサービスを行っている複数のセルの間を１つ以上のユーザ機器が移動している通信ネットワークにおいて、無線リソースを効率よく利用するユーザ機器における方法であって、前記方法は、
前記ユーザ機器における電力不足状況を検出する工程と、
利用可能な無線リソースに関して前記通信ネットワークノードが所定の動作を行うことができるように、前記電力不足状況によりトリガされるスケジューリング情報シグナリング報告を前記通信ネットワークノードに送信する工程とを有することを特徴とする方法。
【請求項２】
前記電力不足状況が解消されたとき、前記通信ネットワークノードに対して別の報告を送信する工程をさらに有することを特徴とする請求項１に記載の方法。
【請求項３】
少なくとも１つの通信ネットワークノード（１５）がサービスを行っている複数のセルの間を１つ以上のユーザ機器が移動している通信ネットワークにおいて、無線リソースを効率よく利用する通信ネットワークノードにおける方法であって、前記方法は、
ユーザ機器における電力不足状況によりトリガされるスケジューリング情報シグナリング報告を受信する工程と、
利用可能な無線リソースに関して所定の動作を行う工程とを有することを特徴とする方法。
【請求項４】
電力不足状況の間に前記スケジューリング情報シグナリング報告を受信したとき、信号対干渉比（ＳＩＲ）の目標値をフリーズする工程をさらに有することを特徴とする請求項３に記載の方法。
【請求項５】
電力不足状況の間に前記スケジューリング情報シグナリング報告を受信したとき、調整を行う（１８）工程をさらに有することを特徴とする請求項３に記載の方法。
【請求項６】
前記調整されたグラントを用いて前記セルにおける他のユーザ機器に対するビット速度を増加させる工程をさらに有することを特徴とする請求項５に記載の方法。
【請求項７】
２つ以上のユーザ機器から前記スケジューリング情報シグナリング報告を受信したとき、前記セル（１９）における最大許容負荷を低減する工程をさらに有することを特徴とする請求項３に記載の方法。
【請求項８】
前記スケジューリング情報シグナリング報告を第２の通信ネットワークノードに転送する工程をさらに有し、
前記第２の通信ネットワークノードは、前記利用可能な無線リソースに関して、
電力不足状況の間に前記報告を受信したとき、信号対干渉比（ＳＩＲ）の目標値をフリーズすることと、
もし電力不足状況が頻繁に報告されるなら、セル間干渉を制御すること
との内、少なくとも１つの動作を行うよう構成されていることを特徴とする請求項３に記載の方法。
【請求項９】
少なくとも１つの通信ネットワークノード（１５）がサービスを行っている複数のセルの間を１つ以上のユーザ機器が移動している通信ネットワークにおいて、無線リソースを効率よく利用するユーザ機器（１８）であって、前記ユーザ機器は、
電力不足状況を検出する手段と、
利用可能な無線リソースに関して前記通信ネットワークノードが所定の動作を行うことができるように、前記電力不足状況によりトリガされたスケジューリング情報シグナリング報告を前記通信ネットワークノードに送信する手段とを有することを特徴とするユーザ機器（１８）。
【請求項１０】
前記電力不足状況が解消されたとき、前記通信ネットワークノードに対して別の報告を送信する手段をさらに有することを特徴とする請求項９に記載のユーザ機器（１８）。
【請求項１１】
１つ以上のユーザ機器（１８）が移動している複数のセル（１９）にサービスを行っている通信ネットワークノード（１５）を有する通信ネットワークにおいて、無線リソースを効率よく利用する通信ネットワークノードであって、前記通信ネットワークノードは、
ユーザ機器（１８）の電力不足状況によりトリガされるスケジューリング情報シグナリング報告を受信する手段と、
利用可能な無線リソースに関して所定の動作を行う手段とを有することを特徴とする通信ネットワークノード（１５）。
【請求項１２】
前記通信ネットワークノードは、電力不足状況の間に前記スケジューリング情報シグナリング報告を受信したとき、信号対干渉比（ＳＩＲ）の目標値をフリーズするよう構成されていることを特徴とする請求項１１に記載の通信ネットワークノード（１５）。
【請求項１３】
前記通信ネットワークノードは、電力不足状況の間に前記スケジューリング情報シグナリング報告を受信したとき、前記ユーザ機器（１８）に割当てられたグラントを調整するよう構成されていることを特徴とする請求項１１に記載の通信ネットワークノード（１５）。
【請求項１４】
前記通信ネットワークノードは、前記調整されたグラントを用いて前記セルにおける他のユーザ機器に対するビット速度を増加させるよう構成されていることを特徴とする請求項１３に記載の通信ネットワークノード（１５）。
【請求項１５】
前記通信ネットワークノードは、２つ以上のユーザ機器から前記スケジューリング情報シグナリング報告を受信したとき、前記セル（１９）における最大許容負荷を低減するよう構成されていることを特徴とする請求項１１に記載の通信ネットワークノード（１５）。
【請求項１６】
前記通信ネットワークノードは、前記スケジューリング情報シグナリング報告を第２の通信ネットワークノードに転送するよう構成されており、
前記第２の通信ネットワークノードは、前記利用可能な無線リソースに関して、
電力不足状況の間に前記報告を受信したとき、信号対干渉比（ＳＩＲ）の目標値をフリーズすることと、
もし電力不足状況が頻繁に報告されるなら、セル間干渉を制御すること
との内、少なくとも１つの動作を行うよう構成されていることを特徴とする請求項１１に記載の通信ネットワークノード（１５）。
【国際調査報告】
2010532626.tif 000007
2010532626.tif 000008
2010532626.tif 000009